(57)【特許請求の範囲】
【請求項１】
単数又は複数の収納部を有する筐体と、各収納部の開口部に回動開閉可能に設けた片開き式又は両開き式の扉とを備え、
前記扉は、スチール製の扉本体と該扉本体の遊端側の角部に装着する弾性材料からなる緩衝体とからなり、
前記扉本体は、表面板の周囲に補強縁部を折曲形成するとともに、遊端側の角部に対応する前記表面板と補強縁部の一部を切り欠いて切欠部を設けたものであり、
前記緩衝体は、前記切欠部に装着した際に前記表面板と補強縁部の外面に段差無く連続する本体部と、該本体部の内方に前記表面板の裏面に接合する膨出部を有し、該本体部の表裏面にそれぞれ係合溝を形成したものであり、
前記表面板の切欠部に沿って裏側へ折曲形成した折曲片に、前記緩衝体の表側係合溝を係合するとともに、前記緩衝体より内側で両補強縁部に取付けた保持金具に設けた係合片を、前記緩衝体の裏側係合溝に係合してなる、
ことを特徴とする緩衝機能を備えた扉付き収納庫。
【請求項２】
単数又は複数の収納部を有する筐体と、各収納部の開口部に回動開閉可能に設けた片開き式又は両開き式の扉とを備え、
前記扉は、スチール製の扉本体と該扉本体の遊端側の角部に装着する弾性材料からなる緩衝体とからなり、
前記扉本体は、表面板の周囲に、該表面板から裏面側へ直角に折曲した側面板と、該側面板の端縁から前記表面板に平行に内方へ折曲した裏面板と、該裏面板の内縁から前記表面板に向かって直角に折曲した補強板とからなる補強縁部を有するとともに、遊端側の角部に対応する前記表面板と補強縁部の一部を切り欠いて切欠部を設け、前記補強縁部には、前記表面板、側面板、裏面板及び補強板とで形成した内部空間を有するものであり、
前記扉本体の切欠部の内側であって、前記表面板とで保持空間を形成する包持部を備えた固定金具を固着し、
前記緩衝体は、前記切欠部を埋めるように装着した際に前記表面板と補強縁部の外面に段差無く連続する本体部と、該本体部の一側部に前記切欠部に面する一方の補強縁部の前記内部空間に嵌合する嵌合部を突設するとともに、前記保持空間に嵌合する膨出部を突設し、前記本体部の他側部に他方の補強縁部の内部空間に係合する係合突起を形成したものであり、
前記固定金具の包持部に螺合したネジを前記緩衝体の膨出部に形成した係合穴に圧入する、
ことを特徴とする緩衝機能を備えた扉付き収納庫。
【請求項３】
前記扉本体の一方の補強縁部の内側を切欠して前記内部空間の内側を開放し、該開放部から前記固定金具の包持部を当該内部空間内に挿入した状態で前記表面板の裏面に溶接し、前記包持部は前記扉本体の両補強縁部に平行な直角に連続した側壁板と、一方の側壁板から折曲形成し前記表面板と平行な取付板とを有し、両側壁板と取付板及び前記表面板とで形成された前記保持空間と内部空間に、前記緩衝体の一側部に突設した嵌合部と膨出部とが一体となった部分を嵌合し、前記取付板に螺合したネジを前記緩衝体の膨出部に形成した係合穴に圧入する請求項２記載の緩衝機能を備えた扉付き収納庫。
【請求項４】
前記扉本体の遊端側角部近傍の両補強縁部を直角に切り欠くとともに、前記表面板を４５度の角度で切り欠いて前記切欠部を形成し、前記緩衝体の本体部の表面側の形状を五角形とするとともに、裏面側の形状をＬ字形とし、該Ｌ字形部分は前記補強縁部の外形幅に一致させ且つ中心に内外に向いた溝部を形成した請求項２又は３記載の緩衝機能を備えた扉付き収納庫。
【請求項５】
前記筐体は、複数の収納部を縦横に設けたものであり、各収納部の框部には前記扉の一側部をヒンジにて回動開閉可能に取付けてなる請求項１〜４何れか１項に記載の緩衝機能を備えた扉付き収納庫。
【請求項６】
前記扉本体の遊端側に設けた切欠部に前記緩衝体を装着した状態で、前記扉の表面から前記補強縁部にわたる全面に、合成樹脂製の表皮材を被覆してなる請求項１〜５何れか１項に記載の緩衝機能を備えた扉付き収納庫。
【請求項７】
前記扉本体の表面板に、適宜な形状に作成した軟弾性材料からなるクッションシートを添設した状態で前記表皮材を被覆して、扉の表面側に前記クッションシートの形状及び配置に応じて図形、模様、文字等を立体的に出現させてレリーフ部を形成してなる請求項６記載の緩衝機能を備えた扉付き収納庫。
【発明の詳細な説明】
【技術分野】
【０００１】
本発明は、緩衝機能を備えた扉付き収納庫に係わり、更に詳しくは多数の収納部を縦横に配置し、各収納部に緩衝機能を備えた回動扉を設けた収納庫に関するものである。
【背景技術】
【０００２】
従来から、多数の収納部を縦横に配置し、各収納部に回動扉を設けた収納庫は、例えば多数の人が利用するロッカーあるいはキャビネットとして使用されている。このようなロッカーは、学校等の教育関連施設や、ゴルフ場のクラブハウス等のスポーツ施設や、温浴施設に多数設置されている。
【０００３】
この種のロッカーでは、複数の利用者が同時に異なる収納部の扉を開放して使用することがあるが、下の収納部を屈んで使用している利用者が上の収納部の扉が開放されていることを気づかずに立ち上がると、頭や体に上の扉のコーナー部が当り、怪我をする恐れがある。特に、スチール製のロッカーでは、扉の角部は板金加工により直角に形成されており、頂部を丁寧にグラインダーかけし、塗装仕上げをしたとしても、角部の危険性は残る。尚、スチール板を絞り加工して、角部を丸く処理することができなくはないが、製造コストが高くなる。
【０００４】
この改善策として、特許文献１には、ロッカー扉の開放側端の下角部に、弾性体からなるコーナーキャップを取付けた構造が開示されている。具体的には、コーナーキャップは、扉の外側面と当接する外側片と、扉の内側面と当接する内側片）と、扉の下面と当接する下側片と、扉の開放側端面と当接する側片とからなり、下側片には扉の下面に穿設された係合穴と係合する突起が形成され、側片には扉の開放側端面に穿設された係合穴と係合する突起が形成されている。ここで、前記突起と係合穴との係合を確実にするため、突起には係合部を形成するとともに、係合穴には中央から舌片を突出させて形成し、前記突起の係合部を係合穴の舌片と係合し、コーナーキャップの引き剥がしに対して抵抗力があるように構成している。
【０００５】
しかし、特許文献１に記載のものは、スチール製の扉の角部に弾性体からなるコーナーキャップを外側から被せる構造であるので、コーナーキャップの肉厚分だけ扉の外面から突出することは避けられず、外観性を損なうといった問題を有している。その上、コーナーキャップは、係合穴内の舌片と突起の係合部が係合して保持されているだけであるので、コーナーキャップに強い力が作用した時に突起の係合部が変形して不意に脱落する恐れがあり、更にコーナーキャップ材料の経年劣化によって突起の係合部が破損することも考えられ、その場合には必然的に扉から脱落する。
【０００６】
一方、芯材の表面から周縁部の裏面まで合成樹脂製の表皮材を被覆する技術は、３次元表面加飾技術（ＴＯＭ工法）として公知である。例えば、特許文献２には、互いに接合・離反が可能とされ且つ対面側が開放された上成型室と下成型室とを有し、上成型室内にはヒータを設け、下成型室内には昇降テーブルを設け、該昇降テーブル上に芯材を配置し、上成型室と下成型室を間に表皮材の周囲を挟んで気密接合した後、上成型室と下成型室とを同一圧力に減圧し、表皮材をヒータによって加熱して軟化させるとともに、テーブルを上昇させて表皮材に芯材を押し付け、それから上成型室を大気開放し、表皮材の表裏で差圧を発生させることにより、該表皮材を芯材に密着させて被覆する真空成型装置が開示されている。そして、スチール製の扉の表面から周縁部の裏面まで合成樹脂製の表皮材で被覆することによって、扉の角部が表皮材で覆われるので、緩衝効果はある程度期待できるが十分ではない。
【先行技術文献】
【特許文献】
【０００７】
【特許文献１】特開２０００−３１００８９号公報
【特許文献２】特開２００２−０６７１３７号公報
【発明の概要】
【発明が解決しようとする課題】
【０００８】
そこで、本発明が前述の状況に鑑み、解決しようとするところは、スチール製の回動扉の遊端側角部を弾性材料からなる緩衝体で保護し、間違って利用者の体の一部が角部に当たっても怪我をする危険性がなく、また緩衝体が脱落する恐れもなく、その上、外観的にも優れている緩衝機能を備えた扉付き収納庫を提供する点にある。
【課題を解決するための手段】
【０００９】
本発明は、前述の課題解決のために、単数又は複数の収納部を有する筐体と、各収納部の開口部に回動開閉可能に設けた片開き式又は両開き式の扉とを備え、前記扉は、スチール製の扉本体と該扉本体の遊端側の角部に装着する弾性材料からなる緩衝体とからなり、前記扉本体は、表面板の周囲に補強縁部を折曲形成するとともに、遊端側の角部に対応する前記表面板と補強縁部の一部を切り欠いて切欠部を設けたものであり、前記緩衝体は、前記切欠部に装着した際に前記表面板と補強縁部の外面に段差無く連続する本体部と、該本体部の内方に前記表面板の裏面に接合する膨出部を有し、該本体部の表裏面にそれぞれ係合溝を形成したものであり、前記表面板の切欠部に沿って裏側へ折曲形成した折曲片に、前記緩衝体の表側係合溝を係合するとともに、前記緩衝体より内側で両補強縁部に取付けた保持金具に設けた係合片を、前記緩衝体の裏側係合溝に係合してなる、ことを特徴とする緩衝機能を備えた扉付き収納庫を構成した（請求項１）。
【００１０】
また、本発明は、単数又は複数の収納部を有する筐体と、各収納部の開口部に回動開閉可能に設けた片開き式又は両開き式の扉とを備え、前記扉は、スチール製の扉本体と該扉本体の遊端側の角部に装着する弾性材料からなる緩衝体とからなり、前記扉本体は、表面板の周囲に、該表面板から裏面側へ直角に折曲した側面板と、該側面板の端縁から前記表面板に平行に内方へ折曲した裏面板と、該裏面板の内縁から前記表面板に向かって直角に折曲した補強板とからなる補強縁部を有するとともに、遊端側の角部に対応する前記表面板と補強縁部の一部を切り欠いて切欠部を設け、前記補強縁部には、前記表面板、側面板、裏面板及び補強板とで形成した内部空間を有するものであり、前記扉本体の切欠部の内側であって、前記表面板とで保持空間を形成する包持部を備えた固定金具を固着し、前記緩衝体は、前記切欠部を埋めるように装着した際に前記表面板と補強縁部の外面に段差無く連続する本体部と、該本体部の一側部に前記切欠部に面する一方の補強縁部の前記内部空間に嵌合する嵌合部を突設するとともに、前記保持空間に嵌合する膨出部を突設し、前記本体部の他側部に他方の補強縁部の内部空間に係合する係合突起を形成したものであり、前記固定金具の包持部に螺合したネジを前記緩衝体の膨出部に形成した係合穴に圧入する、ことを特徴とする緩衝機能を備えた扉付き収納庫を構成した（請求項２）。
【００１１】
この場合、前記扉本体の一方の補強縁部の内側を切欠して前記内部空間の内側を開放し、該開放部から前記固定金具の包持部を当該内部空間内に挿入した状態で前記表面板の裏面に溶接し、前記包持部は前記扉本体の両補強縁部に平行な直角に連続した側壁板と、一方の側壁板から折曲形成し前記表面板と平行な取付板とを有し、両側壁板と取付板及び前記表面板とで形成された前記保持空間と内部空間に、前記緩衝体の一側部に突設した嵌合部と膨出部とが一体となった部分を嵌合し、前記取付板に螺合したネジを前記緩衝体の膨出部に形成した係合穴に圧入することがより好ましい（請求項３）。
【００１２】
更に、前記扉本体の遊端側角部近傍の両補強縁部を直角に切り欠くとともに、前記表面板を４５度の角度で切り欠いて前記切欠部を形成し、前記緩衝体の本体部の表面側の形状を五角形とするとともに、裏面側の形状をＬ字形とし、該Ｌ字形部分は前記補強縁部の外形幅に一致させ且つ中心に内外に向いた溝部を形成したことが更に好ましい（請求項４）。
【００１３】
ここで、前記筐体は、複数の収納部を縦横に設けたものであり、各収納部の框部には前記扉の一側部をヒンジにて回動開閉可能に取付けてなる扉付き収納庫に適用すると効果的である（請求項５）。
【００１４】
更に、前記扉本体の遊端側に設けた切欠部に前記緩衝体を装着した状態で、前記扉の表面から前記補強縁部にわたる全面に、合成樹脂製の表皮材を被覆してなるとより好ましい（請求項６）。
【００１５】
ここで、前記扉本体の表面板に、適宜な形状に作成した軟弾性材料からなるクッションシートを添設した状態で前記表皮材を被覆して、扉の表面側に前記クッションシートの形状及び配置に応じて図形、模様、文字等を立体的に出現させてレリーフ部を形成してなることも好ましい（請求項７）。
【発明の効果】
【００１６】
以上にしてなる請求項１に係る発明の緩衝機能を備えた扉付き収納庫は、単数又は複数の収納部を有する筐体と、各収納部の開口部に回動開閉可能に設けた片開き式又は両開き式の扉とを備え、前記扉は、スチール製の扉本体と該扉本体の遊端側の角部に装着する弾性材料からなる緩衝体とからなり、前記扉本体は、表面板の周囲に補強縁部を折曲形成するとともに、遊端側の角部に対応する前記表面板と補強縁部の一部を切り欠いて切欠部を設けたものであり、前記緩衝体は、前記切欠部に装着した際に前記表面板と補強縁部の外面に段差無く連続する本体部と、該本体部の内方に前記表面板の裏面に接合する膨出部を有し、該本体部の表裏面にそれぞれ係合溝を形成したものであり、前記表面板の切欠部に沿って裏側へ折曲形成した折曲片に、前記緩衝体の表側係合溝を係合するとともに、前記緩衝体より内側で両補強縁部に取付けた保持金具に設けた係合片を、前記緩衝体の裏側係合溝に係合してなるので、スチール製の扉本体の遊端側角部に設けた切欠部を埋めるように厚肉の緩衝体が位置するので、扉の角部に不意に利用者や他人の頭部等の体の一部が衝突しても緩衝体による優れた緩衝機能によって怪我を防止することができ、扉本体と緩衝体の表面が段差無く連続しているので、外観性に優れたものになる。更に、前記表面板に形成した折曲片が切欠部を設けたことによる強度の低下を補強し、そして切欠部に位置した緩衝体の表裏の係合溝を、該折曲片と、両補強縁部に取付けた保持金具の係合片とで挟み込んで保持するので、該緩衝体が脱落する恐れがないのである。
【００１７】
請求項２に係る発明の緩衝機能を備えた扉付き収納庫は、単数又は複数の収納部を有する筐体と、各収納部の開口部に回動開閉可能に設けた片開き式又は両開き式の扉とを備え、前記扉は、スチール製の扉本体と該扉本体の遊端側の角部に装着する弾性材料からなる緩衝体とからなり、前記扉本体は、表面板の周囲に、該表面板から裏面側へ直角に折曲した側面板と、該側面板の端縁から前記表面板に平行に内方へ折曲した裏面板と、該裏面板の内縁から前記表面板に向かって直角に折曲した補強板とからなる補強縁部を有するとともに、遊端側の角部に対応する前記表面板と補強縁部の一部を切り欠いて切欠部を設け、前記補強縁部には、前記表面板、側面板、裏面板及び補強板とで形成した内部空間を有するものであり、前記扉本体の切欠部の内側であって、前記表面板とで保持空間を形成する包持部を備えた固定金具を固着し、前記緩衝体は、前記切欠部を埋めるように装着した際に前記表面板と補強縁部の外面に段差無く連続する本体部と、該本体部の一側部に前記切欠部に面する一方の補強縁部の前記内部空間に嵌合する嵌合部を突設するとともに、前記保持空間に嵌合する膨出部を突設し、前記本体部の他側部に他方の補強縁部の内部空間に係合する係合突起を形成したものであり、前記固定金具の包持部に螺合したネジを前記緩衝体の膨出部に形成した係合穴に圧入するので、スチール製の扉本体の遊端側角部に設けた切欠部を埋めるように厚肉の緩衝体が位置するので、扉の角部に不意に利用者や他人の頭部等の体の一部が衝突しても緩衝体による優れた緩衝機能によって怪我を防止することができ、扉本体と緩衝体の表面が段差無く連続しているので、外観性に優れたものになる。更に、本体部の一側部の嵌合部と他側部の係合突起をそれぞれ補強縁部の内部空間に嵌合するとともに、膨出部を固定金具の包持部と表面板とで形成した保持空間に嵌合した状態で、包持部に螺合したネジを膨出部の係合穴に圧入して抜止めをし、もって弾性材料からなる緩衝体を確実に取付けることができ、また補強縁部よりもネジの頭部が裏面側に突出しないようにできる。また、扉本体は、前記切欠部となる部位をスチール板のプレスカット時に形成するだけであるので、通常の扉の製造工程を変更することなく扉本体を製造することができる。
【００１８】
請求項３によれば、前記扉本体の一方の補強縁部の内側を切欠して前記内部空間の内側を開放し、該開放部から前記固定金具の包持部を当該内部空間内に挿入した状態で前記表面板の裏面に溶接し、前記包持部は前記扉本体の両補強縁部に平行な直角に連続した側壁板と、一方の側壁板から折曲形成し前記表面板と平行な取付板とを有し、両側壁板と取付板及び前記表面板とで形成された前記保持空間と内部空間に、前記緩衝体の一側部に突設した嵌合部と膨出部とが一体となった部分を嵌合し、前記取付板に螺合したネジを前記緩衝体の膨出部に形成した係合穴に圧入するので、緩衝体の嵌合部と膨出部とが一体となった部分を、固定金具の包持部と表面板とで形成した保持空間とそれと連続する一方の補強縁部の内部空間とに嵌合し、緩衝体の嵌合部と膨出部を周囲から包み込むように保持できるので嵌合部と膨出部が変形しても確実に保持することができる。
【００１９】
請求項４によれば、前記扉本体の遊端側角部近傍の両補強縁部を直角に切り欠くとともに、前記表面板を４５度の角度で切り欠いて前記切欠部を形成し、前記緩衝体の本体部の表面側の形状を五角形とするとともに、裏面側の形状をＬ字形とし、該Ｌ字形部分は前記補強縁部の外形幅に一致させ且つ中心に内外に向いた溝部を形成したので、扉本体の意匠性を高めることができる。
【００２０】
請求項５によれば、前記筐体は、複数の収納部を縦横に設けたものであり、各収納部の框部には前記扉の一側部をヒンジにて回動開閉可能に取付けてなるので、扉を開いたときに筐体から出っ張った扉の遊端側の角部が緩衝機能を備えていることにより、利用者や他人が衝突しても怪我をする恐れがない。
【００２１】
請求項６によれば、前記扉本体の遊端側に設けた切欠部に前記緩衝体を装着した状態で、前記扉の表面から前記補強縁部にわたる全面に、合成樹脂製の表皮材を被覆してなるので、異質な材料で製造した扉本体と緩衝体の表面が隠れ、外観性に特に優れたものになり、更にスチール製の扉本体の表面に合成樹脂製の表皮材が位置するので、温かな感触を備えるとともに、塗装ではできない表面の模様や色彩を実現することができる。
【００２２】
請求項７によれば、前記扉本体の表面板に、適宜な形状に作成した軟弾性材料からなるクッションシートを添設した状態で前記表皮材を被覆して、扉の表面側に前記クッションシートの形状及び配置に応じて図形、模様、文字等を立体的に出現させてレリーフ部を形成してなるので、レリーフ部が装飾性を有していることは勿論であるが、扉に正面側から衝突した際の緩衝機能を備えるのである。また、クッションシートを丸く打ち抜いて点字の配置に添設することより、扉表面に点字を浮かび上がらせることができる。
【図面の簡単な説明】
【００２３】
【図１】本発明に係る緩衝機能を備えた扉付き収納庫の一例を示す全体種脚図である。
【図２】扉本体の角部に緩衝体を取付ける構造を示し、（ａ）は表側から見た部分分解斜視図、（ｂ）は扉本体の角部に緩衝体を装着した状態の斜視図である。
【図３】扉本体の角部に緩衝体を取付ける構造を示し、（ａ）は裏側から見た部分分解斜視図、（ｂ）は扉本体の角部に緩衝体を装着した状態の斜視図である。
【図４】扉の全体斜視図である。
【図５】扉の部分断面図である。
【図６】扉の表面に表皮材を被覆する状態を示し、（ａ）は表面板にクッションシートを添設し、表皮材で被覆する前の状態を示す部分断面図、（ｂ）表面板にクッションシートを添設し、表皮材で被覆した後の状態を示す部分断面図である。
【図７】３次元表面加飾技術（ＴＯＭ工法）による表皮材の被覆工程を示し、（ａ）は上成型室と下成型室を間に表皮材をセットし、上成型室と下成型室とを同一圧力に減圧し、表皮材をヒータによって加熱して軟化させた状態を示す断面図、（ｂ）はテーブルを上昇させて表皮材に芯材を押し付けた状態を示す断面図、（ｃ）は上成型室を大気開放して表皮材を芯材に密着させて被覆した状態を示す断面図である。
【図８】扉本体の遊端側の角部に補強金具を設けた実施形態の部分斜視図である。
【図９】扉構造の第２実施形態を示す部分分解斜視図である。
【図１０】同じく扉構造の第２実施形態を示し、（ａ）は扉本体の角部に緩衝体を装着した状態の部分斜視図、（ｂ）は部分背面図、（ｃ）は（ａ）のＡ−Ａ’線断面図である。
【図１１】扉構造の第３実施形態を示し、（ａ）は表側から見た部分分解斜視図、（ｂ）は扉本体の角部に緩衝体を装着した状態の斜視図である。
【図１２】同じく第３実施形態の扉本体の角部に緩衝体を取付ける構造を示し、（ａ）は裏側から見た部分分解斜視図、（ｂ）は扉本体の角部に緩衝体を装着した状態の斜視図である。
【図１３】第３実施形態の緩衝体を示し、（ａ）は正面図、（ｂ）は背面図、（ｃ）は底面図、（ｄ）は右側面図、（ｅ）は左側面図である。
【図１４】第３実施形態の扉構造の角部を示し、（ａ）は部分背面図、（ｂ）は（ａ）のＸ−Ｘ線断面図である。
【図１５】本発明を適用した両開き式扉を備えたキャビネットの斜視図である。
【発明を実施するための形態】
【００２４】
次に、添付図面に示した実施形態に基づき、本発明を更に詳細に説明する。図１は本発明に係る緩衝機能を備えた扉付き収納庫としてロッカーを示し、図２〜図６は扉の詳細を示し、図９及び図１０は第２実施形態を示し、図１１〜図１４は第３実施形態を示し、図中符号１は筐体、２は収納部、３は扉、４は扉本体、５は緩衝体、６は表皮材をそれぞれ示している。
【００２５】
本発明の緩衝機能を備えた扉付き収納庫は、単数又は複数の収納部２，…を有する筐体１と、各収納部２の開口部に回動開閉可能に設けた片開き式又は両開き式の扉３とを備えたものであり、本実施形態では前記筐体１は、複数の収納部２，…を縦横に設けたものであり、各収納部２の框部には前記扉３の一側部をヒンジにて回動開閉可能に取付けているもの例示した。
【００２６】
具体的には、前記扉３は、スチール製の扉本体４と該扉本体４の遊端側３Ａの角部に装着する弾性材料からなる緩衝体５とからなっている。そして、前記扉本体４は、図２及び図３に示すように、スチール板を板金加工して作製し、表面板７の周囲に補強縁部８を折曲形成するとともに、遊端側３Ａの角部に対応する前記表面板７と補強縁部８，８の一部を切り欠いて切欠部９を設けたものである。また、前記緩衝体５は、前記切欠部９を埋めるように装着した際に前記表面板７と補強縁部８，８の外面に段差無く連続する本体部１０を有するものである
【００２７】
更に詳しくは、前記緩衝体５は、前記扉本体４の切欠部９に装着した際に前記表面板７と補強縁部８，８の外面に段差無く連続する本体部１０と、該本体部１０の両側部に両補強縁部８，８の内部空間１１，１１に嵌合する嵌合部１２，１２を突設したＬ字形部材であり、両嵌合部１２，１２は前記補強縁部８，８の内部空間１１，１１に嵌合する際には接近する方向に弾性変形可能である。
【００２８】
一方、前記扉本体４の補強縁部８は、前記表面板７から裏面側へ直角に折曲した側面板１３と、該側面板１３の端縁から前記表面板７に平行に内方へ折曲した裏面板１４と、該裏面板１４の内縁から前記表面板７に向かって直角に折曲した補強板１５とからなり、前記表面板７、側面板１３、裏面板１４及び補強板１５とで前記緩衝体５の嵌合部１２を受け入れる内部空間１１を形成している。尚、前記補強縁部８の断面形状は、前記内部空間１１が形成されれば任意であり、丸くカーリング加工したものでも良く、また前記補強板１５が表面板７の裏面に接合されて前記内部空間１１が閉じていても良い。
【００２９】
そして、前記緩衝体５の嵌合部１２が前記扉本体４の補強縁部８の内部空間１１に嵌合した後、該嵌合部１２が補強縁部８の内部空間１１から抜けないようにする抜止め手段を備えていることが望ましい。本実施形態では、前記抜止め手段として、図３に示すように、前記補強縁部８の裏面板１４に形成した孔１６に裏面側から螺合したネジ１７を、前記緩衝体５の嵌合部１２に形成した係合穴１８に圧入するものを採用したが、この構造に限定されない。例えば、前記補強縁部８の裏面板１４又は補強板１５の一部を内部空間１１側に切り起した突片を前記緩衝体５の嵌合部１２に形成した凹部に抜止め係合しても良く、あるいは接着剤で嵌合部１２を内部空間１１の内面に接着しても良い。
【００３０】
ここで、前記前記緩衝体５は、図３及び図４に示すように、前記扉本体４の切欠部９に装着した際に前記表面板７と補強縁部８，８の外面に段差無く連続するように、前記本体部１０に切欠部９となる表面板７及び補強縁部８，８の端縁に係合する段部１９を形成している。
【００３１】
このように、前記扉本体４の遊端側３Ａに設けた切欠部９，９に前記緩衝体５，５を装着した状態で、前記扉３の表面から前記補強縁部８にわたる全面に、合成樹脂製の表皮材６を被覆する。この表皮材６を立体的な芯材（扉本体４と緩衝体５）の表面に密着させて被覆するには、真空技術を用いた公知の３次元表面加飾技術（ＴＯＭ工法）を採用する。それにより、図５に示すように、前記扉本体４の表面板７から、補強縁部８を構成する側面板１３及び裏面板１４にわたった表皮材６で被覆することができる。
【００３２】
そして、図４及び図６に示すように、前記扉本体４の表面板７に、適宜な形状に作成した軟弾性材料からなるクッションシート２０を添設した状態で前記表皮材６を被覆することにより、扉３の表面側に前記クッションシート２０の形状及び配置に応じて図形、模様、文字等を立体的に出現させてレリーフ部２１を形成することができる。前記クッションシート２０は、シート素材をトムソンによって所望形状に打ち抜いただけのものであるが、前記表皮材６を被覆する際の接着力によってクッションシート２０の周縁部が圧縮されて丸くなるので、前記レリーフ部２１は周囲が適度に丸みを帯びたものとなる。このレリーフ部２１は、内部にクッションシート２０が存在するので、扉３の正面側からの衝突に対して緩衝機能を有する。
【００３３】
ここで、図７に基づき３次元表面加飾技術（ＴＯＭ工法）に使用する真空成型装置１００を簡単に説明する。真空成型装置１００には、互いに接合・離反が可能とされ且つ対面側が開放された上成型室１０１と下成型室１０２とを有し、上成型室１０１内にはヒータ１０３を設け、下成型室１０２内には昇降テーブル１０４を設けている。そして、前記昇降テーブル１０４上に芯材１０５を配置し、上成型室１０１と下成型室１０２を間に表皮材１０６の周囲を挟んで気密接合した後、上成型室１０１と下成型室１０２とを同一圧力に減圧し、表皮材１０６をヒータ１０３によって加熱して軟化させる（図７（ａ）参照）。そして、昇降テーブル１０４を上昇させて軟化した表皮材１０６に芯材１０５を押し付ける（図７（ｂ）参照）。それから、上成型室１０１を大気開放し、表皮材１０６の表裏で差圧を発生させることにより、該表皮材１０６を芯材１０５に密着させて被覆する（図７（ｃ）参照）。その後、図示しないが、上成型室１０１を上方に駆動して開き、表皮材１０６で被覆された芯材１０５を取り出して、余分な表皮材１０６をカットする。
【００３４】
前記扉本体４に切欠部９，９を設けたことにより扉３の剛性が低下するが、それを補うために、図８に示すように、前記緩衝体５の内側であって前記扉本体４の表面板７の裏面に補強金具２２を溶接しておくことが好ましい。前記補強金具２２は、直角三角形の頂部を落とした等脚台形状の基板２３と、該基板２３の両斜辺と上底に直角に形成した立板２４とからなり、前記立板２４を前記補強縁部８，８に当接した状態で前記基板２３を表面板７の裏面に溶接する。尚、強度を更に高めるために、前記補強金具２２の立板２４を前記補強縁部８，８に溶接することも好ましい。
【００３５】
次に、図９及び図１０は、扉構造の第２実施形態を示している。前記緩衝体５は、前記切欠部９に装着した際に前記表面板７と補強縁部８，８の外面に段差無く連続する本体部１０と、該本体部１０の内方に前記表面板７の裏面に接合する膨出部２５を有し、該本体部１０の表裏面にそれぞれ係合溝２６，２６を形成したものである。一方、前記扉本体４の表面板７の切欠部９に沿った裏側に折曲片２７を折曲形成している。そして、前記折曲片２７に、前記緩衝体５の表側係合溝２６を係合するとともに、前記緩衝体５より内側で両補強縁部８，８に取付けた保持金具２８に設けた係合片２９を、前記緩衝体５の裏側係合溝２６に係合する。
【００３６】
更に詳しくは、前記保持金具２８は、垂直な基板３０の両側に、前記両補強縁部８，８の補強板１５，１５にネジ止めするための取付板３１，３１を折曲形成するとともに、上縁に断面Ｌ字形の押え板３２を折曲形成し、該押え板３２の先端部が前記係合片２９となっている。前記保持金具２８の取付板３１には、ネジ３３を挿通する孔３４を形成している。そして、前記緩衝体５を前記扉本体４の切欠部９に位置させて、該緩衝体５の表側係合溝２６を表面板７に折曲形成した折曲片２７に落とし込み係合させ、それから前記保持金具２８の押え板３２で緩衝体５の膨出部２５を抱え込むように配置して、緩衝体５の裏側係合溝２６に押え板３２の先端部の係合片２９を係合し、その状態で両取付板３１，３１の孔３４，３４に挿通したネジ３３，３３をそれぞれ前記補強縁部８，８の補強板１５，１５に形成した下穴（図示せず）に螺合する。
【００３７】
前記扉本体４の表面板７の切欠部９に沿って折曲片２７を形成することにより剛性が高くなり、そして前記保持金具２８の両取付板３１，３１を両補強縁部８，８にネジ止めして連結することにより更に剛性が高くなるのである。
【００３８】
図１１〜図１４は本発明の第３実施形態を示している。本実施形態の扉本体４の構造は前記同様であり、また緩衝体５の材質と機能も前記同様である。本実施形態の扉３は、前記扉本体４の切欠部９の内側であって、前記表面板７とで保持空間Ｓを形成する包持部３６を備えた固定金具３５を固着し、前記緩衝体５は、前記切欠部９に装着した際に前記表面板７と補強縁部８の外面に段差無く連続する本体部１０と、該本体部１０の一側部に前記切欠部９に面する一方の補強縁部８の前記内部空間１１に嵌合する嵌合部３７を突設するとともに、前記保持空間Ｓに嵌合する膨出部３８を突設し、前記本体部１０の他側部に他方の補強縁部８の内部空間１１に係合する係合突起３９を形成し、前記固定金具３５の包持部３６に螺合したネジ４０を前記緩衝体５の膨出部３８に形成した係合穴４１に圧入して構成した。ここで、前記ネジ４０と係合穴４１は、図示したものは二対設けたが、一対でも構わない。
【００３９】
更に詳しくは、図１１及び図１２に示すように、前記扉本体４の一方の補強縁部８の内側を切欠して前記内部空間１１の内側を開放し、該開放部１１Ａから前記固定金具３５の包持部３６を当該内部空間１１内に挿入した状態で前記表面板７の裏面に溶接し、前記包持部３６は前記扉本体４の両補強縁部８，８に平行な直角に連続した側壁板４２，４２と、一方の側壁板４２から折曲形成し前記表面板７と平行な取付板４３とを有し、両側壁板４２，４２と取付板４３及び前記表面板７とで形成された前記保持空間Ｓと内部空間１１に、前記緩衝体５の一側部に突設した嵌合部３７と膨出部３８とが一体となった部分を嵌合し、前記取付板３２に螺合したネジ４０を前記緩衝体５の膨出部３８に形成した係合穴４１に圧入して取付けるようになっている。
【００４０】
更に具体的には、前記扉本体４の遊端側角部近傍の両補強縁部８，８を直角に切り欠くとともに、前記表面板７を４５度の角度で切り欠いて前記切欠部９を形成し、前記緩衝体５の本体部１０の表面側の形状を五角形とするとともに、裏面側の形状をＬ字形としている。前記本体部１０の表面側の五角形部分１０Ａと、裏面側のＬ字形部分１０Ｂは、前記同様にそれぞれ段部１９を設けて前記嵌合部３７、膨出部３８及び係合突起３９と連続している。前記緩衝体５の本体部１０のＬ字形部分１０Ｂは、前記補強縁部８の外形幅に一致させ、つまり裏面板１４の幅に一致させるとともに、コーナー部に対応する中心に内外に向いた溝部４４を形成し、前記補強縁部８の外形と連続させるとともに、扉３のヒンジ側の角部の外形と意匠的な統一を図っている。
【００４１】
前記固定金具３５は、直角な両側壁板４２，４２と、一方の側壁板４２の裏面側縁部に直角に折曲形成した取付板４３とで前記包持部３６を形成するとともに、一方の側壁板４２の表面側縁部に前記取付板４３とは反対側に固定板４５を直角に折曲形成したものであり、前記取付板４３は背面視略Ｌ字形であり、前記他方の側壁板４２と直角に接している。前記取付板４３には小ネジ４０を螺合する螺孔又はタッピンネジ４０を螺合する下穴４６を形成している。一方、前記前記扉本体４の一方の補強縁部８の内側、つまり補強板１５を切欠して前記内部空間１１の内側を開放し、該開放部１１Ａから前記固定金具３５の包持部３６の一部を前記内部空間１１に挿入し、側面板１３の内面に当止した状態で、前記固定板４５を扉本体４の表面板７の裏面に溶接する。それにより、一方の補強縁部８の内部空間１１は、前記固定金具３５の保持空間Ｓの一部と共通になり、前記緩衝体５の嵌合部３７と膨出部３８が連続一体構造であっても嵌合できる。
【００４２】
前記固定金具３５の保持空間Ｓは、図１１（ａ）に示すように、両側壁板４２，４２と、取付板４３と、表面板７及び側面板１３で囲まれ、前記切欠部９に向けて開放された空間であり、前記緩衝体５を取付けるには、先ず嵌合部３７と膨出部３８を前記保持空間Ｓに挿入し、本体部１０を変形させながら前記係合突起３９を他方の補強縁部８の内部空間１１に係合させ、該補強縁部８を構成する側面板１３の内面に係合させて弾性的に保持する。それから、前記固定金具３５の取付板４３の下穴４６にタッピンネジ４０を螺合して前記緩衝体５の係合穴４１に圧入するのである。この取付状態において、前記緩衝体５の本体部１０の表面側の五角形部分１０Ａは、扉本体４の切欠部９を段差なく埋め、また本体部１０の裏面側のＬ字形部分１０Ｂは、隣接する両補強縁部８，８の裏面板１４，１４に外形において段差なく連続するのである。勿論、前記緩衝体５の本体部１０自体は、前記両補強縁部８，８の側面板１３，１３にも外形において段差なく連続する。
【００４３】
本実施形態では、前記扉本体をスチール製としたが、木質系、例えばＭＤＦ（中質繊維板）で作製し、遊端側の角部の少なくとも表側に切欠部を形成し、該切欠部に弾性材料からなるブロック状の緩衝体を接着等の適宜な固定手段で取付けることも可能である。ＭＤＦは強度及び硬度が高い半面、スチール製と同様に角部に利用者が衝突すると怪我をする恐れがあるからである。
【００４４】
図１５は、本発明を適用した両開き式扉を備えたキャビネットを示し、筐体１の収納部２の開口部に対応する両框部に、それぞれ扉３，３の一端部を図示しないヒンジにて回動開閉可能に取付けている。
【符号の説明】
【００４５】
１  筐体、                ２  収納部、
３  扉、                  ３Ａ  遊端側、
４  扉本体、              ５  緩衝体、
６  表皮材、              ７  表面板、
８  補強縁部、            ９  切欠部、
１０  本体部、            １１  内部空間、
１２  嵌合部、            １３  側面板、
１４  裏面板、            １５  補強板、
１６  孔、                １７  ネジ、
１８  係合穴、            １９  段部、
２０  クッションシート、  ２１  レリーフ部、
２２  補強金具            ２３  基板、
２４  立板、              ２５  膨出部、
２６  係合溝、            ２７  折曲片、
２８  保持金具、          ２９  係合片、
３０  基板、              ３１  取付板、
３２  押え板、            ３３  ネジ、
３４  孔、                ３５  固定金具、
３６  包持部、            ３７  嵌合部、
３８  膨出部、            ３９  係合突起、
４０  ネジ、              ４１  係合穴、
４２  側壁板、            ４３  取付板、
４４  溝部、              ４５  固定板、
４６  下穴、              Ｓ  保持空間、
１００  真空成型装置、    １０１  上成型室、
１０２  下成型室、        １０３  ヒータ、
１０４  昇降テーブル、    １０５  芯材、
１０６  表皮材。
【図１】
0005942383.tif 000002
【図２】
0005942383.tif 000003
【図３】
0005942383.tif 000004
【図４】
0005942383.tif 000005
【図５】
0005942383.tif 000006
【図６】
0005942383.tif 000007
【図７】
0005942383.tif 000008
【図８】
0005942383.tif 000009
【図９】
0005942383.tif 000010
【図１０】
0005942383.tif 000011
【図１１】
0005942383.tif 000012
【図１２】
0005942383.tif 000013
【図１３】
0005942383.tif 000014
【図１４】
0005942383.tif 000015
【図１５】
0005942383.tif 000016